(57)【要約】【課題】書類に記載した情報の機密性を肉眼では読み取りできないように保持するための隠蔽シールを改良することにより、その書類に記載された機密情報を含む全ての情報を肉眼では読み取りできないようにするとともに、その書類の真偽を判定する照合機能又は複合機能を付与して書類の偽造防止を確実にした隠蔽シール、及びその隠蔽シールを用いた情報隠蔽保護方法、及び隠蔽情報真偽照合方法を提供する。【解決手段】個人情報等の機密情報が記載された返信用ハガキ等の書類Ｐ面の機密情報７の記載領域に貼着して、その機密情報７を隠蔽するための少なくとも可視光不透過／赤外光透過性の隠蔽シールＳであって、その隠蔽シールＳに赤外光吸収性の記録材にて記載された第１の認識コード３と接着材層４が設けられている。【選択図】図１
2007271965.tif 000002
【特許請求の範囲】
【請求項１】
機密情報が記載されたハガキ等の書類の機密情報記載領域に貼着してその機密情報を隠蔽するため隠蔽シールであって、
該書類に貼着するための接着剤層が設けてあるが、該隠蔽シールが該書類から一旦剥がされると、再び貼着することが困難になる接着剤層であり、少なくとも可視光不透過／赤外光透過性を持ち、且つ、該隠蔽シールを、前記接着剤層の反対側の面から単に可視光で観察した場合には読み取れない場所に、赤外光吸収性の記録材にて認識コードが記録されていることを特徴とする隠蔽シール。
【請求項２】
少なくとも赤外光透過性の基材シート層と、その表面又は裏面のいずれか少なくとも片方に設けられた可視光不透過性で且つ赤外光透過性の印刷インキ又は塗料等の隠蔽材による隠蔽層により、前記可視光不透過／赤外光透過性を構成していることを特徴とする請求項１記載の隠蔽シール。
【請求項３】
機密情報が記載された領域を隠蔽シールで隠蔽されるハガキ等の機密情報用書類であって、前記領域に記載された前記機密情報が赤外光吸収性の記録材にて記載されていることを特徴とする機密情報用書類。
【請求項４】
機密情報が記載されたハガキ等の書類の機密情報記載領域に隠蔽シールが貼着されてその機密情報を隠蔽してある機密情報用書類であって、前記機密情報が、赤外光吸収性の記録材にて記載されていること、且つ、前記隠蔽シールが、
（イ）書類に貼着するための接着剤層が設けてあるが、該隠蔽シールが該書類から一旦剥がされると再び貼着することが困難になる接着剤層を備え、
（ロ）少なくとも可視光不透過／赤外光透過性を持ち、
（ハ）該隠蔽シールを、前記接着剤層の反対側の面から単に可視光で観察した場合には読み取れない場所に、赤外光吸収性の記録材にて認識コードが記録してあること、
を特徴とする機密情報用書類。
【請求項５】
機密情報が記載されたハガキ等の書類の機密情報記載領域に貼着してその機密情報を隠蔽するための隠蔽シールであって、該書類に貼着するための接着剤層が設けてあるが該隠蔽シールが該書類から一旦剥がされると再び貼着することが困難になる接着剤層を備え、少なくとも可視光不透過／赤外光透過性を持つことを特徴とする隠蔽シール。
【請求項６】
少なくとも赤外光透過性の基材シート層と、その表面又は裏面のいずれか片方に設けられた可視光不透過／赤外光透過性の印刷インキ又は塗料等の隠蔽材による隠蔽層により、前記可視光不透過／赤外光透過性を構成していることを特徴とする請求項５記載の隠蔽シール。
【請求項７】
機密情報が記載されたハガキ等の書類の機密情報記載領域に隠蔽シールが貼着されることで、その機密情報が隠蔽される機密情報用書類であって、前記機密情報が、赤外光吸収性の記録材にて記載され、前記領域内の前記機密情報が赤外光吸収性の記録材にて記載されない領域に、赤外光吸収吸収性の記録材にて認識コードが記録してあることを特徴とする機密情報用書類。
【請求項８】
機密情報が記載されたハガキ等の書類の機密情報記載領域に隠蔽シールが貼着されることにより、その機密情報が隠蔽される機密情報用書類であって、前記機密情報が、赤外光吸収性の記録材にて記載され、前記領域内の前記機密情報が赤外光吸収性の記録材にて記載されない領域に、赤外光吸収性の記録材にて認識コードが記録してあり、且つ、前記隠蔽シールが、
（イ）書類に貼着するための接着剤層が設けてあるが、該隠蔽シールが該書類から一旦剥がされると再び貼着することが困難になる接着剤層を備え、
（ロ）少なくとも可視光不透過／赤外光透過性を持つこと、
を特徴とする機密情報用書類。
【請求項９】
請求項４記載の機密情報用書類の機密情報を、前記隠蔽シールを剥がさずに読み取る機密情報読取方法であって、
（イ）前記隠蔽シールに赤外光吸収性の記録材にて記載された認識コードと、該隠蔽シールで隠蔽されている赤外光吸収性の記録材にて記載された機密情報を、赤外光域の光源を持つ赤外光域イメージセンサーを用いて読み込む情報読み込みステップと、
（ロ）該認識コードの読み込みデータと、予め登録されている正規データとを照合し、両者が一致していれば、該機密情報の読み込みデータを表示用に出力する照合表示ステップとを、
経ることを特徴とする機密情報読取方法。
【請求項１０】
請求項８記載の機密情報用書類の機密情報を、前記隠蔽シールを剥がさずに読み取る機密情報読取方法であって、
（イ）前記機密情報記載領域内の前記機密情報が赤外光吸収性の記録材にて記載されない領域に赤外光吸収性の記録材にて記載された認識コードと、該隠蔽シールで隠蔽されている赤外光吸収性の記録材にて記載された機密情報を、赤外光域の光源を持つ赤外光域イメージセンサーを用いて読み込む情報読み込みステップと、
（ロ）該認識コードの読み込みデータと、予め登録されている正規データとを照合し、両者が一致していれば、該機密情報の読み込みデータを表示用に出力する照合表示ステップとを、
経ることを特徴とする機密情報読取方法。
【請求項１１】
請求項４記載の機密情報用書類の機密情報を、前記隠蔽シールを剥がさずに読み取る機密情報読取装置であって、
（イ）前記隠蔽シールに赤外光吸収性の記録材にて記載された認識コードと、該隠蔽シールで隠蔽されている赤外光吸収性の記録材にて記載された機密情報を、赤外光域の光源を持つ赤外光域イメージセンサーを用いて読み込むイメージ読取手段と、
（ロ）該認識コードの読み込みデータと、予め登録されている正規データとを照合し、両者が一致していれば、該機密情報の読み込みデータを表示用に出力する照合表示手段と、を具備することを特徴とする機密情報読取装置。
【請求項１２】
請求項８記載の機密情報用書類の機密情報を、前記隠蔽シールを剥がさずに読み取る機密情報読取装置であって、
（イ）前記機密情報記載領域内の前記機密情報が赤外光吸収性の記録材にて記載されない領域に赤外光吸収性の記録材にて記載された認識コードと、該隠蔽シールで隠蔽されている赤外光吸収性の記録材にて記載された機密情報を、赤外光域の光源を持つ赤外光域イメージセンサーを用いて読み込む情報読み込むイメージ読取手段と、
（ロ）該認識コードの読み込みデータと、予め登録されている正規データとを照合し、両者が一致していれば、該機密情報の読み込みデータを表示用に出力する照合表示手段と、を具備することを特徴とする機密情報読取装置。
【発明の詳細な説明】
【技術分野】
【０００１】
本発明は、郵送用申込み用紙等の伝票類や葉書類等の書類に記載した情報の機密性を保持するための隠蔽シール及びその隠蔽シールを用いた機密情報用書類及び機密情報読取方法及び機密情報読取装置に関する。
【背景技術】
【０００２】
従来より、申し込み者が、申込み受付者に対して、郵送用申込み用紙等の伝票類や葉書類等の書類を用いて所定の申込みを行う際に、申込み受付者への書類送達時まで、その書類に記載した情報の機密性を保持してその情報を隠蔽して見ることができないようにするセキュリティ技術がある。
【０００３】
このセキュリティ技術によれば、まず申し込み者が赤外光吸収性材料による複写用カーボンシートとポールペン等とを用いて、あるいは赤外光吸収性インキ（カーボンインキ等）による筆記ペン等の筆記用具、あるいは鉛筆、シャープペンシルの芯等を用いて、当該書類の機密情報記載領域に隠蔽情報を記載する。そして、この機密情報記載領域に隠蔽シールを、その裏面の粘着性接着剤層（剥離可能であって再接着不可）を介して貼着する。
【０００４】
この隠蔽シールは、紙基材シートに、可視光不透過性であって赤外光透過性の隠蔽性インキを塗布または印刷して構成されたもので、この隠蔽シールを貼着した機密情報記載領域においては、赤外光（赤外光照明方式の自動読取装置）によって、その機密情報を読み取ることはできるが、可視光不透過性であるために肉眼によっては読み取ることはできない。
【０００５】
以下に、本発明に関連する赤外光吸収性材料やインキを構成する赤外光吸収性組成物に関する公知の特許文献を記載する。
【特許文献１】特開平６−１０７９８５号公報
【特許文献２】特開平７−０７０４９６号公報
【特許文献３】特開平８−２１６５１８号公報
【発明の開示】
【発明が解決しようとする課題】
【０００６】
本発明の課題は、上記のような書類に記載した情報の機密性を肉眼では読み取りできないように保持するための隠蔽シールを改良することにより、その書類に記載された機密情報を含む全ての情報を肉眼では読み取りできないようにするとともに、その書類の真偽を判定する照合機能又は複合機能を付与して書類の偽造防止を確実にした隠蔽シール及びその隠蔽シールを用いた機密情報用書類及び機密情報読取方法及び機密情報読取装置を提供することにある。
【課題を解決するための手段】
【０００７】
本発明の請求項１に係る発明は、機密情報が記載されたハガキ等の書類の機密情報記載領域に貼着してその機密情報を隠蔽するため隠蔽シールであって、
該書類に貼着するための接着剤層が設けてあるが、該隠蔽シールが該書類から一旦剥がされると、再び貼着することが困難になる接着剤層であり、少なくとも可視光不透過／赤
外光透過性を持ち、且つ、該隠蔽シールを、前記接着剤層の反対側の面から単に可視光で観察した場合には読み取れない場所に、赤外光吸収性の記録材にて認識コードが記録されていることを特徴とする隠蔽シールである。
【０００８】
本発明の請求項２に係る発明は、上記請求項１に係る隠蔽シールにおいて、少なくとも赤外光透過性の基材シート層と、その表面又は裏面のいずれか少なくとも片方に設けられた可視光不透過性で且つ赤外光透過性の印刷インキ又は塗料等の隠蔽材による隠蔽層により、前記可視光不透過／赤外光透過性を構成していることを特徴とする隠蔽シールである。
【０００９】
本発明の請求項３に係る発明は、機密情報が記載された領域を隠蔽シールで隠蔽されるハガキ等の機密情報用書類であって、前記領域に記載された前記機密情報が赤外光吸収性の記録材にて記載されていることを特徴とする機密情報用書類である。
【００１０】
本発明の請求項４に係る発明は、機密情報が記載されたハガキ等の書類の機密情報記載領域に隠蔽シールが貼着されてその機密情報を隠蔽してある機密情報用書類であって、
前記機密情報が、赤外光吸収性の記録材にて記載されていること、且つ、前記隠蔽シールが、
（イ）書類に貼着するための接着剤層が設けてあるが、該隠蔽シールが該書類から一旦剥がされると再び貼着することが困難になる接着剤層を備え、
（ロ）少なくとも可視光不透過／赤外光透過性を持ち、
（ハ）該隠蔽シールを、前記接着剤層の反対側の面から単に可視光で観察した場合には読み取れない場所に、赤外光吸収性の記録材にて認識コードが記録してあること、
を特徴とする機密情報用書類である。
【００１１】
本発明の請求項５に係る発明は、機密情報が記載されたハガキ等の書類の機密情報記載領域に貼着してその機密情報を隠蔽するための隠蔽シールであって、該書類に貼着するための接着剤層が設けてあるが該隠蔽シールが該書類から一旦剥がされると再び貼着することが困難になる接着剤層を備え、少なくとも可視光不透過／赤外光透過性を持つことを特徴とする隠蔽シールである。
【００１２】
本発明の請求項６に係る発明は、上記請求項５に係る隠蔽シールにおいて、少なくとも赤外光透過性の基材シート層と、その表面又は裏面のいずれか片方に設けられた可視光不透過／赤外光透過性の印刷インキ又は塗料等の隠蔽材による隠蔽層により、前記可視光不透過／赤外光透過性を構成していることを特徴とする隠蔽シールである。
【００１３】
本発明の請求項７に係る発明は、機密情報が記載されたハガキ等の書類の機密情報記載領域に隠蔽シールが貼着されることで、その機密情報が隠蔽される機密情報用書類であって、前記機密情報が、赤外光吸収性の記録材にて記載され、前記領域内の前記機密情報が赤外光吸収性の記録材にて記載されない領域に、赤外光吸収吸収性の記録材にて認識コードが記録してあることを特徴とする機密情報用書類である。
【００１４】
本発明の請求項８に係る発明は、機密情報が記載されたハガキ等の書類の機密情報記載領域に隠蔽シールが貼着されることにより、その機密情報が隠蔽される機密情報用書類であって、
前記機密情報が、赤外光吸収性の記録材にて記載され、前記領域内の前記機密情報が赤外光吸収性の記録材にて記載されない領域に、赤外光吸収性の記録材にて認識コードが記録してあり、且つ、前記隠蔽シールが、
（イ）書類に貼着するための接着剤層が設けてあるが、該隠蔽シールが該書類から一旦剥がされると再び貼着することが困難になる接着剤層を備え、
（ロ）少なくとも可視光不透過／赤外光透過性を持つこと、
を特徴とする機密情報用書類である。
【００１５】
本発明の請求項９に係る発明は、上記請求項４に係る機密情報用書類の機密情報を、前記隠蔽シールを剥がさずに読み取る機密情報読取方法であって、
（イ）前記隠蔽シールに赤外光吸収性の記録材にて記載された認識コードと、該隠蔽シールで隠蔽されている赤外光吸収性の記録材にて記載された機密情報を、赤外光域の光源を持つ赤外光域イメージセンサーを用いて読み込む情報読み込みステップと、
（ロ）該認識コードの読み込みデータと、予め登録されている正規データとを照合し、両者が一致していれば、該機密情報の読み込みデータを表示用に出力する照合表示ステップとを、
経ることを特徴とする機密情報読取方法である。
【００１６】
本発明の請求項１０に係る発明は、上記請求項８に係る機密情報用書類の機密情報を、前記隠蔽シールを剥がさずに読み取る機密情報読取方法であって、
（イ）前記機密情報記載領域内の前記機密情報が赤外光吸収性の記録材にて記載されない領域に赤外光吸収性の記録材にて記載された認識コードと、該隠蔽シールで隠蔽されている赤外光吸収性の記録材にて記載された機密情報を、赤外光域の光源を持つ赤外光域イメージセンサーを用いて読み込む情報読み込みステップと、
（ロ）該認識コードの読み込みデータと、予め登録されている正規データとを照合し、両者が一致していれば、該機密情報の読み込みデータを表示用に出力する照合表示ステップとを、
経ることを特徴とする機密情報読取方法である。
【００１７】
本発明の請求項１１に係る発明は、上記請求項４に係る機密情報用書類の機密情報を、前記隠蔽シールを剥がさずに読み取る機密情報読取装置であって、
（イ）前記隠蔽シールに赤外光吸収性の記録材にて記載された認識コードと、該隠蔽シールで隠蔽されている赤外光吸収性の記録材にて記載された機密情報を、赤外光域の光源を持つ赤外光域イメージセンサーを用いて読み込むイメージ読取手段と、
（ロ）該認識コードの読み込みデータと、予め登録されている正規データとを照合し、両者が一致していれば、該機密情報の読み込みデータを表示用に出力する照合表示手段と、を具備することを特徴とする機密情報読取装置である。
【００１８】
本発明の請求項１２に係る発明は、上記請求項８に係る機密情報用書類の機密情報を、前記隠蔽シールを剥がさずに読み取る機密情報読取装置であって、
（イ）前記機密情報記載領域内の前記機密情報が赤外光吸収性の記録材にて記載されない領域に赤外光吸収性の記録材にて記載された認識コードと、該隠蔽シールで隠蔽されている赤外光吸収性の記録材にて記載された機密情報を、赤外光域の光源を持つ赤外光域イメージセンサーを用いて読み込む情報読み込むイメージ読取手段と、
（ロ）該認識コードの読み込みデータと、予め登録されている正規データとを照合し、両者が一致していれば、該機密情報の読み込みデータを表示用に出力する照合表示手段と、を具備することを特徴とする機密情報読取装置である。
【発明の効果】
【００１９】
本発明の隠蔽シールは、個人情報等の機密情報が記載された返信用ハガキ等の書類の機密情報記載領域に貼着して、その機密情報を隠蔽するためのシールであり、可視光不透過／赤外光透過性の隠蔽シールであって、その隠蔽シールには、赤外光吸収性の記録材にて記載された認識コードと、その書類に貼着するための接着剤層が設けられているものである。
【００２０】
また、本発明の隠蔽シールを貼着して機密情報を隠蔽する返信用ハガキ等の書類の該機密情報記載領域内又は領域外には、赤外光吸収性の記録材にて記載された第２の認識コードが設けられているものである。
【００２１】
本発明の隠蔽シールは、個人情報等の機密情報が記載された返信用ハガキ等の書類の機密情報記載領域に貼着することにより、機密情報を肉眼では不可視の状態にして隠蔽することができ、書類に記載されている機密情報を保護して、その機密性を保持することができるものである。
【００２２】
また、本発明の隠蔽シールは、予め、赤外光吸収性の記録材にて記載された認識コードが設けられ、この認識コードは隠蔽シールの表面からは肉眼では不可視であるため、その認識コードを赤外光にて読み取り、読み取られた認識コードが、予め登録されている登録認識コードとして存在するか否かを判定することにより、その隠蔽シール及びその隠蔽シールを貼着した書類が真正であることを、隠蔽シールを貼着した状態で容易に確認をすることがてきる。
【００２３】
本発明の書類記載情報隠蔽方法によれば、上記隠蔽シールを個人情報等の機密情報が記載された返信用ハガキ等の書類の機密情報記載領域に貼着することにより、機密情報を肉眼では不可視の状態にして隠蔽でき、書類に記載されている機密情報を保護して、その機密性を保持することができるとともに、その隠蔽シール及びその隠蔽シールを貼着した書類が真正であることを隠蔽シールを貼着した状態で容易に確認をすることがてきるものである。
【００２４】
本発明の書類隠蔽情報真偽判定方法及びその装置によれば、返信用ハガキ等の書類の個人情報等の機密情報記載領域に上記隠蔽シールを貼着した書類の真正・偽造を、隠蔽シールに予め記載されている肉眼では不可視の認識コードと、登録認識コードとの照合一致により、又は、その認識コードと、書類に記載されて隠蔽シールにて隠蔽されて肉眼では不可視の第２の認識コードの両認識コードの照合一致により判定することができ、その隠蔽シール及びその隠蔽シールを貼着した書類が真正であることを隠蔽シールを貼着した状態で容易に確認をすることがてきるものである。
【発明を実施するための最良の形態】
【００２５】
本発明の隠蔽シール、及びその隠蔽シールを用いた書類記載情報隠蔽方法の実施の形態を以下に詳細に説明すれば、図１（ａ）は、本発明の隠蔽シールＳの一例を示す側面図、図１（ｂ）は、本発明の隠蔽シールＳの他の例を示す側面図、図１（ｃ）は、その隠蔽シールＳと、その隠蔽シールＳにより隠蔽する書類Ｐの側面図である。
【００２６】
本発明の隠蔽シールＳの一例としては、図１（ａ）に示すように、紙製シート、透明乃至半透明（又は不透明）プラスチックシート等の赤外光透過性の基材シート層１の裏面に印刷インキ又は塗料等の隠蔽材による可視光不透過性の隠蔽層２が設けられて、隠蔽シールＳは可視光不透過／赤外光透過性を構成している。
【００２７】
基材シート１は、例えば、紙製シート又はプラスチック製シートであって、該基材シート１を可視光不透過性とするために、該基材シート１の裏面に、隠蔽層２（可視光不透過性層）を設けて、該基材シート１本体を着色してもよいし、該基材シート１本体に不透明着色剤を混入して着色してもよい。
【００２８】
前記隠蔽シールＳの隠蔽層２上には、例えば、その隠蔽シールＳ端部の隠蔽層２上に、赤外光吸収性の記録材にて記載された認識コード３が設けられていて、その隠蔽層２の全面には、接着剤層４（貼着材層、例えば強粘着剤層）が設けられている。前記認識コード
３は、基材シート層１の表面からは肉眼では不可視の状態となっている。
【００２９】
隠蔽シールＳの基材シート１裏面に設ける接着剤層４としては、剥離可能及び再接着不可能又は剥離不可能及び再接着不可能な粘着剤層や接着剤層を用いてもよい。
【００３０】
また本発明の隠蔽シールＳの他の例としては、図１（ｂ）の側面図に示すように、紙製シート、不透明プラスチックシート等の不透明な赤外光透過性の基材シート層１の裏面に赤外光吸収性の記録材にて記載された認識コード３が設けられていて、その認識コード３上より基材シート層１の裏面全面に、印刷インキ又は塗料等の隠蔽材による可視光不透過性の隠蔽層２が設けられて、隠蔽シールＳは可視光不透過／赤外光透過性を構成している。なお、隠蔽シールＳの表面には、必要に応じて赤外光透過／可視光吸収性の記録材料にて記載された肉眼にて視認できる機密を要しない通常情報５（機密を要する情報以外の情報であって、可視光透過性及び可視光吸収・反射性の可視情報）が設けられている。
【００３１】
図１（ｃ）は、本発明の認識コード３を設けた隠蔽シールＳと、不透明シート６（可視光不透過性シート）の片面に設けられた機密情報記載領域に個人情報等の機密情報７を記載した返信用ハガキ等の書類Ｐであり、隠蔽シートＳは、接着剤層４にて、書類Ｐの機密情報記載領域に記載された個人情報等の機密情報７を隠蔽するようにして貼着される。前記書類Ｐ面の機密情報記載領域に記載された個人情報等の機密情報７は赤外光吸収性の記録材にて記載されている。
【００３２】
上記隠蔽シールＳに赤外光吸収性の記録材にて記載された前記認識コード３の記載位置は、本発明においては特に限定されるものではないが、隠蔽シールＳを書類Ｐ面に貼着した際に、その書類Ｐに赤外光吸収性の記録材にて記載された機密情報７に対して、オーバーラップしない位置に設けられていることが適当である。
【００３３】
次に、本発明の書類記載情報隠蔽方法を説明すれば、図２は、本発明の隠蔽シールＳを書類Ｐ面に貼着して、機密情報７を隠蔽した状態を示す書類記載情報隠蔽方法を説明する平面図である。
【００３４】
書類Ｐ面に記載された赤外光吸収性の記録材にて記載された機密情報７は、隠蔽シールＳによって、肉眼では不可視の状態に隠蔽されて、機密性が保持されている。隠蔽シールＳの裏面に設けた認識コード３は、隠蔽シールＳの表面からは肉眼では不可視となっている。
【００３５】
隠蔽シールＳの表面には、赤外光透過／可視光吸収性の記録材料にて記載された肉眼にて視認できる通常情報５が必要に応じて設けられ、また隠蔽シールＳの外側周囲の書類Ｐ面にも、赤外光透過／可視光吸収性の記録材料にて記載された肉眼にて視認できる機密を要しない通常情報９（機密を要する情報以外の情報であって、可視光透過性及び可視光吸収・反射性の可視情報）が必要に応じて設けられている。
【００３６】
図３は、本発明の認識コード３を設けた隠蔽シールＳと、不透明シート６（可視光不透過性シート）の片面に設けられた機密情報記載領域に個人情報等の機密情報７を記載し、該機密情報記載領域内又は領域外には、赤外光吸収性の記録材にて記載された第２の認識コード８を設けた返信用ハガキ等の書類Ｐである。
【００３７】
図３に示すように、隠蔽シートＳは、接着剤層４にて、書類Ｐの機密情報記載領域に記載された個人情報等の機密情報７、及び第２の認識コード８を隠蔽するようにして貼着される。前記書類Ｐ面の機密情報記載領域に記載された個人情報等の機密情報７は赤外光吸収性の記録材にて記載されている。
【００３８】
上記隠蔽シールＳに赤外光吸収性の記録材にて記載された前記認識コード３の記載位置は、本発明においては特に限定されるものではないが、隠蔽シールＳを書類Ｐ面に貼着した際に、その書類Ｐに赤外光吸収性の記録材にて記載された機密情報７に対して、及び第２の認識コード８に対して、オーバーラップしない位置に設けられていることが適当である。
【００３９】
また、本発明の書類記載情報隠蔽方法の他の例を説明すれば、図４は、本発明の認識コード３を設けた隠蔽シールＳを、第２の認識コード８を設けた書類Ｐ面に貼着して、機密情報７を隠蔽した状態を示す書類記載情報隠蔽方法の他の例を説明する平面図である。
【００４０】
書類Ｐ面に記載された赤外光吸収性の記録材にて記載された機密情報７は、隠蔽シールＳによって、肉眼では不可視の状態に隠蔽されて、機密性が保持されている。また、隠蔽シールＳの裏面に設けた認識コード３は、隠蔽シールＳの可視光不透過性のため、また書類Ｐ面に設けた第２の認識コード８は、その隠蔽シールＳにて隠蔽されているため、それぞれ隠蔽シールＳの表面からは肉眼では不可視となっている。
【００４１】
次に、本発明の書類隠蔽情報真偽判定方法の一例を以下に詳細に説明すれば、上記書類記載情報隠蔽方法により、図２に示すように、隠蔽シールＳを用いて記載情報を隠蔽した返信用ハガキ等の書類Ｐにおける記載情報を、隠蔽シールＳを剥がさずに読み取り、その書類の真偽を判定するための書類隠蔽情報真偽判定方法である。
【００４２】
図２に示すように、本発明の書類隠蔽情報真偽判定方法は、書類Ｐ面に貼着されている隠蔽シールＳに赤外光吸収性の記録材にて記載された認識コード３と、該隠蔽シールＳが貼着されている書類Ｐ面の機密情報記載領域に赤外光吸収性の記録材にて記載された個人情報等の機密情報７とを、その書類Ｐ面から隠蔽シールＳを剥がさずに、赤外光域の光源を持つ赤外光域イメージセンサーを搭載したイメージ読取手段により読み込むものである。
【００４３】
また、前記書類Ｐに貼着されている隠蔽シールＳの表面に記載された通常情報５、及び書類Ｐの隠蔽シールＳの外側周囲に記載された通常情報９を、その書類Ｐ面から隠蔽シールＳを剥がさずに、可視光域の光源を持つ可視光域イメージセンサーを搭載したイメージ読取手段により読み込むものである。
【００４４】
そして、前記隠蔽シールＳの認識コード３の読み込みデータ（読取認識コード）と、予め登録されている登録データ（登録認識コード）との対応の正常・異常を比較照合手段により比較照合する。
【００４５】
そして、その照合結果において、読取認識コードと登録認識コードとが一致している場合には、その隠蔽シールＳと書類Ｐが真正であると判定し、不一致の場合には、その隠蔽シールＳと書類Ｐが偽造であると判定するものである。
【００４６】
次に、本発明の書類隠蔽情報真偽判定方法の他の例を以下に詳細に説明すれば、上記書類記載情報隠蔽方法により、図４に示すように、隠蔽シールＳを用いて記載情報を隠蔽した返信用ハガキ等の書類Ｐにおける記載情報を、隠蔽シールＳを剥がさずに読み取り、その書類の真偽を判定するための書類隠蔽情報真偽判定方法である。
【００４７】
図４に示すように、書類Ｐ面に貼着されている隠蔽シールＳに赤外光吸収性の記録材にて記載された認識コード３と、該隠蔽シールＳが貼着されている書類Ｐ面の機密情報記載領域に赤外光吸収性の記録材にて記載された個人情報等の機密情報７と、該書類Ｐ面に赤
外光吸収性の記録材にて記載された第２の認識コード８とを、赤外光域の光源を持つ赤外光域イメージセンサーを搭載したイメージ読取手段により読み込む。
【００４８】
また、前記書類Ｐに貼着されている隠蔽シールＳの表面に記載された通常情報５、及び書類Ｐの隠蔽シールＳの外側周囲に記載された通常情報９を、可視光域の光源を持つ可視光域イメージセンサーを搭載したイメージ読取手段により読み込むものである。
【００４９】
そして、前記隠蔽シールＳの認識コード３の読み込みデータ（読取認識コード）と、書類Ｐ面の第２の認識コード８の読み込みデータ（第２の読取認識コード）との対応の正常・異常を比較照合手段により比較照合する。
【００５０】
そして、その照合結果において、読取認識コードと第２の認識コードとが一致している場合には、その隠蔽シールＳと書類Ｐが真正であると判定し、不一致の場合には、その隠蔽シールＳと書類Ｐが偽造であると判定するものである。
【００５１】
次に、本発明の書類隠蔽情報真偽判定方法のその他の例を以下に詳細に説明すれば、上記書類隠蔽情報真偽判定方法により、図２、図４にに示す隠蔽シールＳを貼着して機密情報を隠蔽した返信用ハガキ等の書類Ｐにおける記載情報を、隠蔽シールＳを剥がさずに読み取り、その書類の真偽を判定した後に、その読み取りした書類Ｐ面の機密情報記載領域に赤外光吸収性の記録材にて記載された個人情報等の機密情報７を暗号化し、復号化するものである。
【００５２】
前記隠蔽シールＳの認識コード３の読み込みデータ（読取認識コード）と予め登録されている登録データ（登録認識コード）との対応の正常・異常、又は前記隠蔽シールＳの認識コード３の読み込みデータ（読取認識コード）と第２の認識コード８の読み込みデータ（読取認識コード）との対応の正常・異常を比較照合手段により比較照合し、書類Ｐの真偽を判定する。
【００５３】
前記書類Ｐが真正であれば、該書類Ｐの個人情報等の機密情報７の読み込みデータ（読取機密情報）を機密性を保持するために暗号化処理手段により暗号化するものである。
【００５４】
そして、暗号化された機密情報７の読み込みデータ（読取機密情報）を、復号化処理手段により、該書類Ｐの個人情報等の機密情報の読み込みデータとして復号化するものである。
【００５５】
次に、本発明の書類隠蔽情報真偽判定装置を以下に詳細に説明すれば、図５は、本発明装置の概要側面図、図６は、本発明装置のブロック図である。
【００５６】
本発明装置にて情報を読み取る対象の書類Ｐ（シート状体）は、図１（ｃ）の側面図に示すように、該書類Ｐの表面の所定の領域には、機密を要する情報（機密情報）を記載するための記入欄など機密情報記載領域が設けられていて、その領域内には、赤外光吸収性材料である赤外光吸収性着色インキや筆記具（ボールペン、鉛筆など）、又は赤外光吸収性無色インキ、又は赤外光吸収性透明インキ等の記録材料を用いて、住所、氏名、年齢、職業、性別、電話番号等の所定の機密情報７（赤外光吸収性可視情報又は不可視情報）が、印刷、印字され、又は手書き等にて記載されている。
【００５７】
また、書類Ｐの表面（機密情報記載領域内又は領域外）乃至裏面の所定の領域には、可視光吸収・反射性着色剤（顔料、染料等）を混入した赤外光透過性材料である通常着色インキや筆記具等の記録材料を用いて機密を要しない通常情報９（図２、図４参照）が印刷、印字され、又は手書き等にて記載されている。
【００５８】
そして、図２、図４に示すように、書類Ｐは、赤外光吸収性及び可視光吸収・反射性の可視情報である機密情報７が記載された機密情報記載領域に隠蔽シールＳが貼着されて機密情報７が隠蔽されている。また、隠蔽シールＳに赤外光吸収性材料により記載された認識コード３、又は隠蔽シールＳに赤外光吸収性材料により記載された隠蔽コード３及び書類Ｐに赤外光吸収性材料により記載された第２の認識コード８が、隠蔽シールＳによって隠蔽されている。
【００５９】
本発明の書類隠蔽情報真偽判定装置は、図５の概要側面図に示すように、情報を読み取る対象の書類Ｐ（情報記載シート、図２、図４参照）を、その書類Ｐ面から隠蔽シールＳを剥がさずに搬送するシート搬送手段１０を備え、該シート搬送手段１０のシート搬送路に沿って順に、シート通過検出用フォトセンサー１２と、赤外光域照明光源により読み取り可能な赤外光読取方式の赤外光域イメージセンサー１３（赤外光投光部１３ａと赤外光受光部１３ｂとを備えた透過方式）と、可視光域照明光源により読み取り可能な可視光読取方式の可視光域イメージセンサー１４（可視光投光部と可視光受光部とを備えた反射方式）とを搭載している。なお、赤外光域イメージセンサー１３と可視光域イメージセンサー１４とは逆順に搭載されていいてもよい。
【００６０】
なお、必要に応じて、該シート搬送手段１０の搬送路に沿ったシート通過検出用フォトセンサー１２の後段（イメージセンサーの前段）には、書類Ｐの読み取り管理用の管理番号を印字するための管理番号印字手段を搭載することができる。
【００６１】
シート搬送手段１０の搬送方式については、前記書類Ｐなどのシート状体を、図面右側のシート導入部の方向から図面左側のシート搬出部の方向に、図示するように水平直線状又は垂直直線状に、あるいは円形状乃至曲線状に搬送する方式であれば、本発明においては特に限定されるものではない。
【００６２】
例えば、図示するように、シート搬送手段１０は、上下に対向して書類Ｐを挟み付けて駆動回転する対向搬送ローラ１１、１１を、２対〜複数対にて設置したものである。
【００６３】
本発明の上記の書類隠蔽情報真偽判定装置は、図６の装置ブロック図に示すように、前記赤外光域イメージセンサー１３により読み取られた機密情報７及び認識コード３の読取信号と、可視光域イメージセンサー１４により読み取られた通常情報５、９の読取信号を、イメージデータとして生成する読取手段２１を備える。
【００６４】
読取手段２１には、認識コード照合判定手段２２と暗号化手段２５を備え、認識コード照合判定手段２２は、前記赤外光域イメージセンサー１３にて読み取られた書類Ｐの読取認識コード３に基づいて、読出部２３にて登録コードメモリ２４から該当する登録認識コードを検索して読み出す。そして、読取認識コード３と登録認識コードとの一致、不一致をイメージ座標系データにより照合する。そして、一致していれば、当該書類Ｐ及びその書類Ｐに貼着されている隠蔽シールＳは「真正」であると判定し、不一致であれば、当該書類Ｐ及びその書類Ｐに貼着されている隠蔽シールＳは「偽造」であると判定する。
【００６５】
認識コード照合判定手段２２は、当該書類Ｐが真正と判定された場合は、暗号化手段２５を動作させて、読取手段２１から読み取られた当該書類Ｐの機密情報７を暗号化手段２５に出力し、機密情報７のデータを暗号化する。
【００６６】
また、本発明の上記の書類隠蔽情報真偽判定装置には、暗号化手段２５により暗号化された機密情報７を復号化する復号化手段２６を備え、暗号化された機密情報７を復号化する。復号化された機密情報７は、通常情報５、９と共に、所定のパソコン等の可視光域イ
メージ再生出力手段２７により、ディスプレイ画面、あるいはプリンタ等にて再生出力される。
【００６７】
また、本発明の上記の書類隠蔽情報真偽判定装置は、図６の装置ブロック図に示すように、前記赤外光域イメージセンサー１３により読み取られた機密情報７及び認識コード３、第２の認識コード８の読取信号と、可視光域イメージセンサー１４により読み取られた通常情報５、９の読取信号を、イメージデータとして生成する読取手段２１を備える。
【００６８】
読取手段２１には、認識コード照合判定手段２２と暗号化手段２５を備え、認識コード照合判定手段２２は、前記赤外光域イメージセンサー１３にて読み取られた書類Ｐの読取認識コード３と第２の読取認識コード８との一致、不一致をイメージ座標系データにより照合する。そして、一致していれば、当該書類Ｐ及びその書類Ｐに貼着されている隠蔽シールＳは「真正」であると判定し、不一致であれば、当該書類Ｐ及びその書類Ｐに貼着されている隠蔽シールＳは「偽造」であると判定する。
【００６９】
認識コード照合判定手段２２は、当該書類Ｐが真正と判定された場合は、暗号化手段２５を動作させて、読取手段２１から読み取られた当該書類Ｐの機密情報７を暗号化手段２５に出力し、機密情報７のデータを暗号化する。
【００７０】
また、本発明の上記の書類隠蔽情報真偽判定装置には、暗号化手段２５により暗号化された機密情報７を復号化する復号化手段２６を備え、暗号化された機密情報７を復号化する。復号化された機密情報７は、通常情報５、９と共に、所定のパソコン等の可視光域イメージ再生出力手段２７により、ディスプレイ画面、あるいはプリンタ等にて再生出力される。
【００７１】
また、本発明装置の暗号化手段２５、又は復号化手段２６、又は復号化手段２６と可視光域イメージ再生手段２７との間には、パソコン、データサーバ等のデータ演算制御部（ＣＰＵ、図示せず）を備えてもよい。
【００７２】
そして、このデータ演算制御部（ＣＰＵ）により、機密情報７、通常情報５、９が読み取られた書類Ｐのシート管理データ処理や集計用、あるいは機密情報７、通常情報５、９の集計用として使用したり、また、データ演算制御部にてデータ処理や集計された書類Ｐの機密情報７、通常情報５、９に基づく商品の調達、箱詰め、積込み、移送、保管、発送等の作業の指示用データ、管理用データ作成のためのデバイスを制御するようにしてもよい。
【００７３】
次に、本発明の上記の書類隠蔽情報真偽判定方法及びその装置について以下に説明すれば、図５に示すように、隠蔽シールＳを貼着した書類Ｐが、シート搬送手段１０にて矢印方向に搬送される。
【００７４】
書類Ｐがフォトセンサー１２を通過すると、その書類Ｐの通過を該フォトセンサー１２が検出して、その検知信号の発信とタイマー（又はシート搬送手段１０の駆動系に設置されたロータリーエンコーダ）に基づいて、この書類Ｐの後端が装置の排出部（図５の装置の左端側）に到達するタイミングを検知して、その到達タイミング検知信号の発信により当該書類Ｐの装置通過、読み取り終了を確認する。
【００７５】
また、フォトセンサー１２の後段（フォトセンサー１２と赤外光域イメージセンサー１３との間）に必要に応じて設けた印字手段（図示せず）により、そのフォトセンサー１２の検出信号に基づいて、シリアルナンバーとしての通常情報５、９である固有の管理番号が、図１（ｂ）に示すように、その書類Ｐ面（隠蔽シールＳ以外の面又は隠蔽シールＳの
表面を含む面）に印字される。
【００７６】
続いて、シート搬送手段１０にて矢印方向に搬送される前記書類Ｐが、赤外光域の照明光源による赤外光読取方式のイメージセンサー１３を通過する。その際に、書類Ｐの機密情報記載領域面に貼着された隠蔽シールＳの表面が、該イメージセンサー１３の赤外光域照明光源である赤外投光部１３ａにて照明され、該隠蔽シールＳの内面側の赤外光吸収性材料（インキ、ボールペン、黒鉛筆等）により記載した機密情報７にて吸収された赤外光以外の該隠蔽シールＳ及び書類Ｐを透過した赤外光が、赤外光受光部１３ｂにて赤外光読み取り電子データとして読み取られる。
【００７７】
続いて、前記書類Ｐはシート搬送手段１０により矢印方向に搬送され、該書類Ｐが、可視光域の照明光源による可視光読取方式のイメージセンサー１４を通過すると、該書類Ｐの外面（表面）に印字手段により印字された管理番号、あるいは予め印刷、あるいは手書きにて記載された文字、記号、絵柄等の通常情報５、９が、該センサー１４により可視光域の照明光源にて照明されて、可視光読み取り電子データとして読み取られる。
【００７８】
また、該書類Ｐの機密情報記載領域Ｓ面に貼着された隠蔽シールＳの外面に、予め印刷、あるいは手書きにて記載された文字、記号、絵柄等の通常情報ｂも、可視光読取方式のイメージセンサー１６により、可視光域の照明光源にて照明されて、可視光読み取り電子データとして読み取られる。
【００７９】
このようにして本発明装置により機密情報７が読み取られ、又は機密情報７と通常情報５、９が読み取られ、シート搬送手段１０にて搬送された前記書類Ｐは矢印方向に搬出されて、読み取りが終了する。
【００８０】
図７は、本発明の書類隠蔽情報真偽判定方法及び装置に用いる隠蔽シールＳを、隠蔽シール供給者側が作成する場合の作成フローチャートである。
【００８１】
＜ＳＴＥＰ１＞
まず、返信用葉書等の書類Ｐの機密情報記載欄（領域）に貼着するための隠蔽シールＳを作成する。
【００８２】
＜ＳＴＥＰ２＞
隠蔽シールＳの裏面に印刷するための認識コード３のデータを作成する。
【００８３】
＜ＳＴＥＰ３＞
作成した認識コード３のデータをメモリ媒体（登録コードメモリ２４）に記録し登録する。
【００８４】
＜ＳＴＥＰ４＞
メモリ媒体に記録されている認識コード３の記録データを印字機に出力して、隠蔽シールＳの裏面に赤外光吸収性インキにて認識コード３（図１（ａ）参照）を印刷する。
【００８５】
図８は、本発明の書類隠蔽情報真偽判定方法及び装置に用いる書類Ｐを、書類供給者側が作成する場合の作成フローチャートである。
【００８６】
＜ＳＴＥＰ１＞
まず、個人情報等機密情報記載欄（領域）を備えた返信用葉書等の書類Ｐ（機密情報７が未記載の白紙の書類）を印刷する。
【００８７】
＜ＳＴＥＰ２＞
前記書類Ｐの機密情報記載欄に第２の認識コード８を設ける場合には、印刷した書類Ｐの機密情報記載欄（領域）に印刷するための第２の認識コード８（隠蔽シールＳに印刷した認識コード３に対応する）データを作成する。
【００８８】
＜ＳＴＥＰ３＞
作成した第２の認識コード３のデータをメモリ媒体に記録する。
【００８９】
＜ＳＴＥＰ４＞
メモリ媒体に記録されている第２の認識コード８の記録データを印字機に出力して、書類Ｐの機密情報記載欄に赤外光吸収性インキにて第２の認識コード８（図３参照）を印刷する。
【００９０】
図９、図１０は、書類Ｐに機密情報を記載し、隠蔽シールＳを貼着する本発明の書類記載情報隠蔽方法及び書類隠蔽情報真偽判定方法のプロセスを説明するフローチャートである。
【００９１】
＜ＳＴＥＰ１＞
まず、隠蔽シールＳ、書類Ｐの利用者側が、返信用葉書等の書類Ｐの個人情報等機密情報記載欄（領域）に機密情報７を記載する。      
【００９２】
＜ＳＴＥＰ２＞
書類Ｐ面の機密情報７を記載した個人情報等機密情報記載欄（領域）に、隠蔽シールＳを貼着して機密情報７を隠蔽保護する。
【００９３】
＜ＳＴＥＰ３＞
隠蔽シールＳを貼着した書類Ｐを宛先（隠蔽シール供給者側）に投函し、発送する。
【００９４】
＜ＳＴＥＰ４＞
宛先（隠蔽シール供給者側）は、隠蔽シールＳを貼着した書類Ｐを受領する。
【００９５】
＜ＳＴＥＰ５＞
宛先（隠蔽シール供給者側）は、隠蔽シールＳを貼着した状態で書類Ｐを隠蔽情報読取照合判定装置（図５参照）にセットする。
【００９６】
＜ＳＴＥＰ６＞
隠蔽情報読取照合判定装置にて、隠蔽シールＳを貼着した状態の書類Ｐを１枚毎搬送しながら、読取手段２１の赤外光域イメージセンサー１３にて認識コード（認識コード又は第２の認識コード）と機密情報７とを読み取り、可視光域イメージセンサー１４にて通常情報５、９を読み取る。
【００９７】
＜ＳＴＥＰ７＞
書類通過検知センサー１２などにより、当該書類Ｐがセンサー１３、１４を通過完了したことを検知して、当該書類Ｐの搬送読み取りの終了を確認する。当該書類Ｐの搬送読み取りが終了した場合には、ＳＴＥＰ８に進む。
【００９８】
＜ＳＴＥＰ８＞
認識コード照合判定手段２２が動作して、読取手段２１より、当該書類Ｐの読取認識コードが、一方、読出部２３より、登録コードメモリ２４に予め登録されている登録認識コードが、該照合判定手段２２に出力されて、読取認識コードと登録認識コードの一致・不
一致が照合判定される。
【００９９】
＜ＳＴＥＰ９＞
読取認識コードと登録認識コードの一致・不一致の照合結果が一致であれば、ＳＴＥＰ１０に進む。不一致であればＳＴＥＰ１４に進む。
【０１００】
＜ＳＴＥＰ１０＞
当該書類Ｐを真正と判定する。
【０１０１】
＜ＳＴＥＰ１１＞
読み取られた当該書類Ｐの機密情報７のデータが読取手段２１から暗号化手段２５に出力される。
【０１０２】
＜ＳＴＥＰ１２＞
読み取られた当該書類Ｐの機密情報７のデータが暗号化手段２５により暗号化される。
【０１０３】
＜ＳＴＥＰ１３＞
暗号化手段２５により暗号化された機密情報７のデータを復号化手段２６に出力して、読み取られた時点の当該書類Ｐの機密情報７として復号化する。
【図面の簡単な説明】
【０１０４】
【図１】（ａ）は本発明の隠蔽シートの一例を説明する側面図、（ｂ）は本発明の隠蔽シートの他の例を説明する側面図、（ｃ）は本発明の隠蔽シート及び書類面に貼着して書類記載情報を隠蔽する書類記載情報方法の一例を説明する側面図。
【図２】本発明の隠蔽シートを貼着した書類の一例を説明する平面図。
【図３】本発明の隠蔽シート及び書類面に貼着して書類記載情報を隠蔽する書類記載情報方法の他の例をを説明する側面図。
【図４】本発明の隠蔽シートを貼着した書類の他の例を説明する平面図。
【図５】本発明の隠蔽シートを貼着した書類の記載情報を読み取り照合する書類隠蔽情報真偽判定方法及びその装置を説明する装置の概要側面図。
【図６】本発明の隠蔽シートを貼着した書類の記載情報を読み取り照合する書類隠蔽情報真偽判定方法及びその装置を説明する装置のブロック図。
【図７】本発明の隠蔽シートの作成プロセスを説明するフローチャート図。
【図８】本発明の隠蔽シートを貼着する書類の作成プロセスを説明するフローチャート図。
【図９】本発明の隠蔽シートを貼着した書類の記載情報を読み取り、照合し、真偽の判定をするプロセスを説明するフローチャート図。
【図１０】本発明の隠蔽シートを貼着した書類の記載情報を読み取り、照合し、真偽の判定をするプロセスを説明するフローチャート図。
【符号の説明】
【０１０５】
Ｓ…隠蔽シート
Ｐ…書類
１…基材シート
２…隠蔽層
３…認識コード
４…接着剤層
５…通常情報（機密情報以外の情報）
６…書類シート
７…機密情報
８…第２の認識コード
９…通常情報
【図１】
2007271965.tif 000003
【図２】
2007271965.tif 000004
【図３】
2007271965.tif 000005
【図４】
2007271965.tif 000006
【図５】
2007271965.tif 000007
【図６】
2007271965.tif 000008
【図７】
2007271965.tif 000009
【図８】
2007271965.tif 000010
【図９】
2007271965.tif 000011
【図１０】
2007271965.tif 000012